(57)【要約】【課題】本発明の目的は、空間に対する冷凍装置の庫内照度の比が小さくならないようにし、庫内の陳列商品の魅力を低下させることがなく、購買者の購買意欲を落とすことがない状態で、冷凍装置のデフロストの終了後においてデマンドピークの上昇を防止する。【解決手段】照明制御装置１は、それぞれが異なる冷凍装置４の庫内４０を照らす複数の庫内照明装置２と、複数の冷凍装置４を含む空間を照らす空間照明装置３とを調光制御する。情報取得部１１は、受電電力の値を取得する。単位時間の受電電力の積算値を積算電力量とする。予測部１２は、情報取得部１１で取得された値を用いて、単位時間ごとの積算電力量が予め設定されたデマンド基準値を超過するか否かを予測する。制御部１４は、積算電力量がデマンド基準値を超過すると予測部１２で予測された場合、積算電力量がデマンド基準値以下になるように庫内照明装置２および空間照明装置３を減光させる。【選択図】図１
2011076801.tif 000002
【特許請求の範囲】
【請求項１】
外部から視認可能な庫内を冷却する冷凍機を有する冷凍装置の前記庫内を照らす庫内照明装置と、前記冷凍装置を含む空間を照らす空間照明装置とを調光制御する照明制御装置であって、
前記庫内照明装置と前記空間照明装置と前記冷凍装置との各消費電力を含む受電電力の値を取得する情報取得部と、
単位時間の受電電力の積算値を積算電力量とし、前記情報取得部で取得された値を用いて、前記単位時間ごとの前記積算電力量が予め設定されたデマンド基準値を超過するか否かを予測する予測部と、
前記積算電力量が前記デマンド基準値を超過すると前記予測部で予測された場合、前記積算電力量が前記デマンド基準値以下になるように前記庫内照明装置および前記空間照明装置を減光させる制御部と
を備えることを特徴とする照明制御装置。
【請求項２】
前記制御部は、
前記積算電力量が前記デマンド基準値を超過すると前記予測部で予測された場合に、前記空間照明装置を減光させた後に前記庫内照明装置を減光させ、
前記庫内照明装置および前記空間照明装置が減光した後に前記積算電力量が前記デマンド基準値以下になると前記予測部で予測された場合、前記空間照明装置を元の光出力に復帰させる前に前記庫内照明装置を元の光出力に復帰させる
ことを特徴とする請求項１記載の照明制御装置。
【請求項３】
前記冷凍装置がデフロストの開始前の状態に復帰したか否かを判断する判断部を備え、
前記情報取得部は、前記冷凍装置の消費電力の値を取得し、
前記判断部は、前記冷凍装置がデフロストを行った後に前記冷凍装置の消費電力の時間変動分が予め設定された第１の閾値以下になると、前記冷凍装置が前記開始前の状態に復帰したと判断し、
前記制御部は、前記冷凍装置が前記開始前の状態に復帰したと前記判断部で判断された場合に、前記庫内照明装置および前記空間照明装置を元の光出力に復帰させる
ことを特徴とする請求項１または２記載の照明制御装置。
【請求項４】
前記情報取得部は、前記冷凍装置の消費電力の値を取得し、
前記制御部は、前記冷凍装置の消費電力が前記デマンド基準値よりも低い値に予め設定された第２の基準値を超えた場合、前記庫内照明装置および前記空間照明装置をさらに減光させる
ことを特徴とする請求項１〜３のいずれか１項に記載の照明制御装置。
【請求項５】
前記空間に前記冷凍装置が複数配置され、前記複数の冷凍装置の中から、消費電力が予め設定された第３の基準値を超える冷凍装置を特定する特定部を備え、
前記庫内照明装置は、各冷凍装置に対応して複数設けられ、
前記制御部は、前記特定部で特定された冷凍装置がデフロストを開始する場合、前記複数の庫内照明装置のすべてを減光させる
ことを特徴とする請求項１〜４のいずれか１項に記載の照明制御装置。
【請求項６】
前記空間に前記冷凍装置が複数配置され、前記複数の冷凍装置のうち少なくとも１つが外光の入射位置に設置され、
前記庫内照明装置は、各冷凍装置に対応して複数設けられ、
前記情報取得部は、前記外光の入射位置に設置された冷凍装置の消費電力の値を取得し、
前記制御部は、前記外光の入射位置に設置された冷凍装置の消費電力が予め設定された第２の閾値を超えると、前記外光の入射位置に設置された冷凍装置に対応する前記庫内照明装置の光出力を一定にしたまま、他の冷凍装置に対応する前記庫内照明装置および前記空間照明装置を減光させる
ことを特徴とする請求項１〜４のいずれか１項に記載の照明制御装置。
【請求項７】
請求項１〜６のいずれか１項に記載の照明制御装置と、
前記冷凍装置の庫内を照らす庫内照明装置と、
前記冷凍装置を含む空間を照らす空間照明装置と
を備えることを特徴とする照明システム。
【請求項８】
外部から視認可能な庫内を冷却する冷凍機を有する冷凍装置の前記庫内を照らす庫内照明装置と、前記冷凍装置を含む空間を照らす空間照明装置とを調光制御する照明制御方法であって、
前記庫内照明装置と前記空間照明装置と前記冷凍装置との各消費電力を含む受電電力の値を取得する第１のステップと、
単位時間の受電電力の積算値を積算電力量とし、前記第１のステップで取得した値を用いて、前記単位時間ごとの前記積算電力量が予め設定されたデマンド基準値を超過するか否かを予測する第２のステップと、
前記積算電力量が前記デマンド基準値を超過すると予測した場合、前記積算電力量が前記デマンド基準値以下になるように前記庫内照明装置および前記空間照明装置を減光させる第３のステップと
を有することを特徴とする照明制御方法。
【発明の詳細な説明】
【技術分野】
【０００１】
本発明は、冷凍装置の庫内を照らす庫内照明装置と、冷凍装置を含む空間を照らす空間照明装置とを調光制御する照明制御装置、照明システムおよび照明制御方法に関する。
【背景技術】
【０００２】
一般に、食品を扱うスーパーマーケットや百貨店のような店舗では、照明設備、空調設備、冷凍装置の３種類の設備機器が主な電力消費機器になる。特に、冷凍装置は消費電力が大きいから、冷凍装置の消費電力の増減は店舗全体での消費電力の増減に大きく影響する。
【０００３】
冷凍装置の消費電力を増減させる要因にはデフロスト（霜取り）がある。デフロストは、例えば蒸発器に設けられたヒータに通電することにより実施される。ヒータに１日に通電される回数は、各冷凍装置ごとに２〜６回程度になる。デフロストを実施する期間では冷凍機の運転が停止するから、冷凍機での消費電力はゼロになる。しかし、ヒータが通電することによって、ヒータでの電力消費が発生する。デフロストが終了するとヒータへの通電が停止されるが、デフロストによって温度上昇した庫内を設定温度まで冷却するためにデフロストの終了後に冷凍機での消費電力が一時的に増加する。
【０００４】
一方、電力会社は、業務電力の基本料金を、単位時間ごとの受電電力の積算値の最大値（以下「デマンドピーク」という）に基づいて定めている。このため、デフロストの終了後において冷凍装置の消費電力のピーク値（ピーク電力）が増大するとデマンドピークが増大し、この増大によって基本料金が増加する可能性が生じるという問題があった（図３（ｂ）参照）。
【０００５】
上記問題を解決するために、冷凍装置のピーク電力を抑制してデマンドピークを下げるためのデマンド制御を行うことが必要になっている。このため、従来から、デフロストの開始時に冷凍装置の周辺温度を下げる技術が提案されている（例えば特許文献１参照）。この技術によれば、上記のようにして冷凍装置の周囲温度を下げることによって、デフロストの終了後における冷凍装置のピーク電力を抑制し、デマンドピークを下げることができる。
【先行技術文献】
【特許文献】
【０００６】
【特許文献１】特開２００７−２４４４３号公報
【発明の概要】
【発明が解決しようとする課題】
【０００７】
しかしながら、特許文献１に記載された従来の技術では、外気温度に関係なく冷凍装置の周辺温度を下げるため、購買者に不快感を与える可能性がある。
【０００８】
冷凍装置の周辺温度を下げずにデマンドピークを下げるために、冷凍装置の庫内を照らす庫内照明装置をデフロストの期間、減光させる技術が考えられる。この技術によれば、デフロストの期間、庫内照明装置を減光させることによって、庫内照明装置そのものの消費電力を低減させることができるとともに、庫内照明装置の照明による庫内の発熱量を下げることができるので、デフロストの終了後における冷凍装置のピーク電力を抑制することができ、その結果、デマンドピークを下げることができる。
【０００９】
ところが、庫内照明装置を減光させる従来の技術では、デフロストの期間、周囲に対して庫内がこれまでよりも暗くなる、つまり、周囲（空間）に対する庫内照度の比（＝庫内照度／空間照度）がこれまでよりも小さくなるため、庫内の陳列商品の魅力を低下させ、購買意欲を低下させる可能性がある。
【００１０】
本発明は上記の点に鑑みて為され、本発明の目的は、空間に対する冷凍装置の庫内照度の比が小さくならないようにし、庫内の陳列商品の魅力を低下させることがなく、購買者の購買意欲を落とすことがない状態で、冷凍装置のデフロストの終了後においてデマンドピークの上昇を防止することができる照明制御装置、照明システムおよび照明制御方法を提供することにある。
【課題を解決するための手段】
【００１１】
請求項１に係る照明制御装置の発明は、外部から視認可能な庫内を冷却する冷凍機を有する冷凍装置の前記庫内を照らす庫内照明装置と、前記冷凍装置を含む空間を照らす空間照明装置とを調光制御する照明制御装置であって、前記庫内照明装置と前記空間照明装置と前記冷凍装置との各消費電力を含む受電電力の値を取得する情報取得部と、単位時間の受電電力の積算値を積算電力量とし、前記情報取得部で取得された値を用いて、前記単位時間ごとの前記積算電力量が予め設定されたデマンド基準値を超過するか否かを予測する予測部と、前記積算電力量が前記デマンド基準値を超過すると前記予測部で予測された場合、前記積算電力量が前記デマンド基準値以下になるように前記庫内照明装置および前記空間照明装置を減光させる制御部とを備えることを特徴とする。
【００１２】
請求項２に係る照明制御装置の発明は、請求項１の発明において、前記制御部は、前記積算電力量が前記デマンド基準値を超過すると前記予測部で予測された場合に、前記空間照明装置を減光させた後に前記庫内照明装置を減光させ、前記庫内照明装置および前記空間照明装置が減光した後に前記積算電力量が前記デマンド基準値以下になると前記予測部で予測された場合、前記空間照明装置を元の光出力に復帰させる前に前記庫内照明装置を元の光出力に復帰させることを特徴とする。
【００１３】
請求項３に係る照明制御装置の発明は、請求項１または２の発明において、前記冷凍装置がデフロストの開始前の状態に復帰したか否かを判断する判断部を備え、前記情報取得部は、前記冷凍装置の消費電力の値を取得し、前記判断部は、前記冷凍装置がデフロストを行った後に前記冷凍装置の消費電力の時間変動分が予め設定された第１の閾値以下になると、前記冷凍装置が前記開始前の状態に復帰したと判断し、前記制御部は、前記冷凍装置が前記開始前の状態に復帰したと前記判断部で判断された場合に、前記庫内照明装置および前記空間照明装置を元の光出力に復帰させることを特徴とする。
【００１４】
請求項４に係る照明制御装置の発明は、請求項１〜３のいずれか１項の発明において、前記情報取得部は、前記冷凍装置の消費電力の値を取得し、前記制御部は、前記冷凍装置の消費電力が前記デマンド基準値よりも低い値に予め設定された第２の基準値を超えた場合、前記庫内照明装置および前記空間照明装置をさらに減光させることを特徴とする。
【００１５】
請求項５に係る照明制御装置の発明は、請求項１〜４のいずれか１項の発明において、前記空間に前記冷凍装置が複数配置され、前記複数の冷凍装置の中から、消費電力が予め設定された第３の基準値を超える冷凍装置を特定する特定部を備え、前記庫内照明装置は、各冷凍装置に対応して複数設けられ、前記制御部は、前記特定部で特定された冷凍装置がデフロストを開始する場合、前記複数の庫内照明装置のすべてを減光させることを特徴とする。
【００１６】
請求項６に係る照明制御装置の発明は、請求項１〜４のいずれか１項の発明において、前記空間に前記冷凍装置が複数配置され、前記複数の冷凍装置のうち少なくとも１つが外光の入射位置に設置され、前記庫内照明装置は、各冷凍装置に対応して複数設けられ、前記情報取得部は、前記外光の入射位置に設置された冷凍装置の消費電力の値を取得し、前記制御部は、前記外光の入射位置に設置された冷凍装置の消費電力が予め設定された第２の閾値を超えると、前記外光の入射位置に設置された冷凍装置に対応する前記庫内照明装置の光出力を一定にしたまま、他の冷凍装置に対応する前記庫内照明装置および前記空間照明装置を減光させることを特徴とする。
【００１７】
請求項７に係る照明システムの発明は、請求項１〜６のいずれか１項の照明制御装置と、前記冷凍装置の庫内を照らす庫内照明装置と、前記冷凍装置を含む空間を照らす空間照明装置とを備えることを特徴とする。
【００１８】
請求項８に係る照明制御方法の発明は、外部から視認可能な庫内を冷却する冷凍機を有する冷凍装置の前記庫内を照らす庫内照明装置と、前記冷凍装置を含む空間を照らす空間照明装置とを調光制御する照明制御方法であって、前記庫内照明装置と前記空間照明装置と前記冷凍装置との各消費電力を含む受電電力の値を取得する第１のステップと、単位時間の受電電力の積算値を積算電力量とし、前記第１のステップで取得した値を用いて、前記単位時間ごとの前記積算電力量が予め設定されたデマンド基準値を超過するか否かを予測する第２のステップと、前記積算電力量が前記デマンド基準値を超過すると予測した場合、前記積算電力量が前記デマンド基準値以下になるように前記庫内照明装置および前記空間照明装置を減光させる第３のステップとを有することを特徴とする。
【発明の効果】
【００１９】
請求項１，７，８の発明によれば、積算電力量がデマンド基準値を超過すると予測した場合に、冷凍装置の庫内への発熱を低減するために庫内照明装置を減光させるとともに空間照明装置も減光させることによって、庫内照明装置のみを減光させる場合に比べて空間に対する庫内照度の比が小さくならないようにすることができるので、庫内の陳列商品の見栄えを低下させることがなく、購買者の購買意欲を落とすことがない状態で、冷凍装置のデフロストの終了後におけるピーク電力を下げることができ、その結果、積算電力量をデマンド基準値以下にすることができ、デマンドピークの上昇を防止することができる。
【００２０】
請求項２の発明によれば、空間照明装置を減光させた後に庫内照明装置を減光させ、空間照明装置を元の光出力に復帰させる前に庫内照明装置を元の光出力に復帰させることによって、冷凍装置の庫内において一時的な暗がりを避けることができる。
【００２１】
請求項３の発明によれば、冷凍装置の消費電力の時間変動分が第１の閾値以下であることによって、冷凍装置におけるデフロストの終了後におけるリバウンド期間が終了したことを認識でき、庫内照明装置および空間照明装置の減光時間を短くすることができるので、購買者の商品購買への影響を抑えることができる。
【００２２】
請求項４の発明によれば、デフロストの終了後のリバウンド期間における冷凍装置のピーク電力の大きさに応じて、庫内照明装置および空間照明装置の減光量を変更させることによって、冷凍装置の特性に合わせて減光を行うことができるので、不要な減光を抑えることができる。
【００２３】
請求項５の発明によれば、過去のピーク電力の大きい冷凍装置がデフロストを開始したタイミングですべての庫内照明装置を減光させることによって、積算電力量をより緩和することができる。
【００２４】
請求項６の発明によれば、採光によって周囲の照度が他の冷凍装置よりも高い、外光の入射位置に設置された冷凍装置に対応する庫内照明装置の減光を抑制することによって、空間に対する上記冷凍装置の庫内照度の比を一定にすることができるので、購買者の購買意欲を落とすことがない。
【図面の簡単な説明】
【００２５】
【図１】実施形態１の構成を示すブロック図である。
【図２】同上に係る冷凍装置、庫内照明装置および空間照明装置の配置図である。
【図３】（ａ）が同上に係る冷凍装置の消費電力特性を示す図、（ｂ）が従来の冷凍装置の消費電力特性を示す図である。
【図４】同上において受電電力の積算値を示す図である。
【図５】同上において庫内照明装置と空間照明装置と冷凍装置との消費電力特性を示す図である。
【図６】同上に係る照明制御装置を用いた照明制御方法のフローチャートである。
【図７】（ａ）が同上に係る庫内照明装置および空間照明装置の光出力の変化を示す図、（ｂ）が従来の庫内照明装置および空間照明装置の光出力の変化を示す図である。
【図８】実施形態２に係る照明制御装置の構成を示すブロック図である。
【図９】同上に係る冷凍装置について、（ａ）はピーク電力が大きい場合の消費電力特性を示す図、（ｂ）はピーク電力が小さい場合の消費電力特性を示す図である。
【図１０】同上に係る照明制御装置を用いた照明制御方法のフローチャートである。
【発明を実施するための形態】
【００２６】
（実施形態１）
実施形態１に係る照明制御装置１は、図１に示すように、複数台の庫内照明装置２，・・・と空間照明装置３とを調光制御する。各庫内照明装置２は、それぞれ異なる冷凍装置４に対応し、対応する冷凍装置４の庫内４０を照らすように上記冷凍装置４に設置されている。上記照明制御装置１と庫内照明装置２と空間照明装置３とによって照明システムが構成される。各庫内照明装置２と空間照明装置３と各冷凍装置４とは、図２に示すように空間Ｓに配置されている。空間照明装置３は、各冷凍装置４の設置場所である屋内空間（例えば店舗など）全体を照らす。つまり、空間照明装置３は、各冷凍装置４を含む空間Ｓを照らす。図２に示す冷凍装置４ａは、空間Ｓのうち外光の入射位置（窓Ｗの近傍）に設置されている。
【００２７】
庫内照明装置２は、図１に示すように、光源２０と、光源２０を点灯させる点灯装置２１と、点灯装置２１に対する指示を照明制御装置１から伝送路６を介して受信する通信部２２とを備えている。
【００２８】
空間照明装置３は、光源３０と、光源３０を点灯させる点灯装置３１と、点灯装置３１に対する指示を照明制御装置１から伝送路６を介して受信する通信部３２とを備えている。
【００２９】
各冷凍装置４は、外部から視認可能なオープンタイプのショーケースの庫内４０を冷却する冷凍機４１と、蒸発器（図示せず）のデフロストを行うヒータ４２と、冷凍機４１およびヒータ４２への通電を制御する制御部４３と、冷凍機４１の消費電力を計測する第１の電力計測部４４と、ヒータ４２の消費電力を計測する第２の電力計測部４５と、伝送路６を介して制御部４３に対する指示を照明制御装置１から受信するとともに第１，２の電力計測部４４，４５による計測結果を照明制御装置１に送信する通信部４６とを備えている。
【００３０】
各冷凍装置４において、冷凍機４１とヒータ４２とを併せた消費電力の３０分ごとの平均値を求めると、図３に示すようになる。図３に示した冷凍装置４の消費電力の推移を考察すると、安定状態の期間（以下「ベース期間Ｔｂ」という）のベース電力Ｐｂと、冷凍機４１は停止しているがヒータ４２に通電してデフロストを行っている期間（以下「デフロスト期間Ｔｄ」という）のデフロスト電力Ｐｄと、デフロストの終了後に冷凍機４１の運転を再開したときに消費電力が一時的に増加する期間（以下「リバウンド期間Ｔｒ」という）のリバウンド電力Ｐｒとに分類することが可能である。リバウンド電力Ｐｒは、デフロストを行う際にヒータ４２に通電したことに伴って上昇した温度を設定温度まで引き下げるために冷凍機４１での消費電力が一時的に増加することにより生じる。リバウンド期間Ｔｒは、夏季においては３０分〜６０分間継続する場合がある。各冷凍装置４は、他の冷凍装置４とリバウンド電力Ｐｒのピークが重ならないようにデフロストを行う（図５参照）。つまり、冷凍装置４間では、デフロストの開始のタイミングがずれて設定されている。
【００３１】
図１に示す分電盤５は、各庫内照明装置２と空間照明装置３と各冷凍装置４とに電力供給する電力供給部５０と、伝送路６を介して照明制御装置１と通信する通信部５１とを備えている。図１において、分電盤５からの電力の流れは太線で示している。
【００３２】
続いて、本実施形態の照明制御装置１について説明する。本実施形態の照明制御装置１は、通信部１０と、情報取得部１１と、予測部１２と、照度センサ１３と、制御部（デマンド制御部）１４とを備えている。情報取得部１１と予測部１２と制御部１４とは、例えばコンピュータシステム（汎用コンピュータ、組み込みシステム）の処理装置（図示せず）などによって構成される。情報取得部１１と予測部１２と制御部１４との各機能を上記処理装置に実現させるためのプログラムは、例えば上記コンピュータシステムの主記憶装置（図示せず）などに記憶されている。
【００３３】
通信部１０は、伝送路６を介して各庫内照明装置２と空間照明装置３と各冷凍装置４と分電盤５と通信する。
【００３４】
情報取得部１１は、通信部１０を介して分電盤５から受電電力の値を所定時間（３０分未満）ごとに取得する。受電電力には、各庫内照明装置２と空間照明装置３と各冷凍装置４とのそれぞれの消費電力が含まれている。また、情報取得部１１は、各冷凍装置４（窓近傍の冷凍装置４ａを含む）の消費電力の値を各冷凍装置４から通信部１０を介して取得する。
【００３５】
予測部１２は、情報取得部１１で取得された受電電力の値を用いて、図４に示すように、単位時間（３０分）単位で、単位時間（３０分間）の受電電力の積算値を求める。３０分間の受電電力の積算値を積算電力量とする。予測部１２は、積算電力量が警戒レベルＬを超えた場合に、積算電力量がデマンド基準値を超過すると予測する。一方、積算電力量が警戒レベルＬ以下である場合、予測部１２は、積算電力量がデマンド基準値を超過しないと予測する。デマンド基準値は、電力会社との契約によって予め設定されている。警戒レベルＬは、時間に対する各冷凍装置４の消費電力パターンやデマンド基準値などを参考にして予め設定されている。なお、警戒レベルＬを設定する際、各冷凍装置４の設置場所の外気気温を想定内の最高外気温度とした場合の消費電力パターンを参考にするのが好ましい。外気気温が高いほど消費電力も高くなるため、上述のように最高外気温度の場合の消費電力パターンを参考にすることによって、どのような外気温度であっても、積算電力量がデマンド基準値を超過しないようにすることができる。
【００３６】
なお、後述のように制御部１４が庫内照明装置２および空間照明装置３を減光させた場合は、予測部１２は、庫内照明装置２および空間照明装置３が減光した後の積算電力量が警戒レベルＬ以下であるときに、積算電力量がデマンド基準値を超過しないと予測する。
【００３７】
照度センサ１３は、例えば窓Ｗ（図２参照）の外側などの屋外に設置され、窓近傍の冷凍装置４ａ（図２参照）の周囲の採光状況を判定するために用いられる。
【００３８】
制御部１４は、積算電力量がデマンド基準値を超過すると予測部１２で予測された場合、積算電力量がデマンド基準値以下になるように、最初にデフロストを開始する冷凍装置４に対応する庫内照明装置２と空間照明装置３とを減光させる。庫内照明装置２および空間照明装置３を減光させるための各制御信号は、通信部１０から庫内照明装置２および空間照明装置３にそれぞれ送信される。
【００３９】
上記のように制御部１４が庫内照明装置２および空間照明装置３を減光させることによって、庫内照明装置２および空間照明装置３の各消費電力そのものを低減させて積算電力量を下げることができるとともに、庫内照明装置２の照明による発熱量を低減することができるので、庫内照明装置２の照明による庫内４０の温度上昇を抑えることができる。これにより、各冷凍装置４のリバウンド電力Ｐｒを低減させることができるので、積算電力量を下げることができる。
【００４０】
本実施形態では、積算電力量がデマンド基準値を超過すると予測部１２で予測された場合に、制御部１４は、空間照明装置３を減光させた後に庫内照明装置２を減光させる。このとき、制御部１４は、図５に示すように、最初のデフロストの開始と同じタイミングで空間照明装置３を減光させ、その後、最初にデフロストを開始した冷凍装置４に対応する庫内照明装置２を減光させる。
【００４１】
また、制御部１４は、庫内照明装置２および空間照明装置３を終日、減光させるのではなく、図５に示すように冷凍装置４のデフロストの終了後に元の光出力に戻す。これにより、庫内照明装置２および空間照明装置３の減光時間を短縮することができる。
【００４２】
本実施形態では、庫内照明装置２および空間照明装置３が減光した後に積算電力量がデマンド基準値以下になると予測部１２で予測された場合、制御部１４は、空間照明装置３を元の光出力に復帰させる前に庫内照明装置２を元の光出力に復帰させる。
【００４３】
ところで、窓近傍の冷凍装置４ａの設置場所は採光が多いので、窓近傍の冷凍装置４ａに対応する庫内照明装置２を減光させると、空間Ｓに対する窓近傍の冷凍装置４ａの庫内４０の照度の比（＝庫内照度／空間照度）が小さくなってしまい、庫内４０と空間Ｓとの照度バランスを維持することができなくなる。このため、窓近傍の冷凍装置４ａに対応する庫内照明装置２に対しては、制御部１４は、他の庫内照明装置２とは異なる調光制御を行う。制御部１４は、窓近傍の冷凍装置４ａの消費電力が第２の閾値を超えると、窓近傍の冷凍装置４ａに対応する庫内照明装置２の光出力を一定にしたまま、他の冷凍装置４に対応する庫内照明装置２と空間照明装置３とを減光させる。これにより、窓近傍の冷凍装置４ａにおいて、空間Ｓに対する庫内４０の照度の比を小さくすることなく、積算電力量を下げることができる。
【００４４】
また、制御部１４は、各冷凍装置４について、通信部１０を介して情報取得部１１で取得された消費電力の値が予め設定された閾値電力未満になると、デフロスト開始時と判断する。積算電力量がデマンド基準値を超過すると予測部１２で予測された場合に、いずれかの冷凍装置４が制御部１４でデフロスト開始時と判断されると、空間照明装置３を減光させる信号が通信部１０から空間照明装置３に送信される。これにより、制御部１４は、各冷凍装置４のデフロストの開始タイミングを認識することができ、デフロストの開始タイミングで空間照明装置３を減光させることができる。
【００４５】
また、制御部１４は、各冷凍装置４について、デフロストの開始後に、消費電力の値が上記閾値電力以上になると、デフロストを終了してリバウンド期間Ｔｒが開始したと判断する。これにより、制御部１４は、各冷凍装置４のデフロスト期間Ｔｄを認識することができる。
【００４６】
次に、本実施形態に係る照明制御装置１を用いた照明制御方法について図６を用いて説明する。まず、情報取得部１１は、所定時間（例えば５分）ごとに受電電力の値を分電盤５から取得する（図６のＳ１）。続いて、予測部１２は、受電電力の値を用いて積算電力量を算出する（Ｓ２）。一方、照度センサ１３は空間Ｓの照度を計測する（Ｓ３）。その後、予測部１２は、積算電力量がデマンド基準値を超過するか否かを予測する（Ｓ４）。積算電力量がデマンド基準値を超過すると予測部１２で予測された場合、制御部１４は、いずれかの冷凍装置４のデフロストの開始以降か否かを判定し（Ｓ５）、デフロストが開始されていると、空間照明装置３を減光させる（Ｓ６）。空間照明装置３が減光してから所定時間が経過した後、制御部１４は、デフロスト中の冷凍装置４に対応する庫内照明装置２を減光させる（Ｓ７）。上述のようにして、制御部１４は、積算電力量がデマンド基準値を超過すると予測部１２で予測された場合、積算電力量がデマンド基準値以下になるように庫内照明装置２および空間照明装置３を減光させる。ただし、照度センサ１３で計測された照度が高い場合、つまり採光が大きい場合、窓近傍の冷凍装置４ａに対応する庫内照明装置２は減光しない。また、ステップＳ４において、積算電力量がデマンド基準値以下である場合、庫内照明装置２および空間照明装置３は減光しないで、通常運転を行う（Ｓ８）。照明制御装置１は、ステップＳ７，Ｓ８をそれぞれ行った後、ステップＳ１に戻る。
【００４７】
上記動作により、庫内照明装置２および空間照明装置３の光出力は、図７（ａ）に示すように変化する。まず、冷凍装置４が通常期間（デフロスト期間Ｔｄでもリバウンド期間Ｔｒでもない期間）である場合、庫内照明装置２および空間照明装置３は、一定の光出力を行っている（図７の（ａ１））。その後、デフロスト期間Ｔｄ、庫内照明装置２および空間照明装置３は、通常期間に比べて減光する（ａ２）。その後、リバウンド期間Ｔｒになるかリバウンド期間Ｔｒが経過した後、庫内照明装置２および空間照明装置３は、通常期間と同じ光出力に戻る（ａ３）。
【００４８】
以上、本実施形態によれば、積算電力量がデマンド基準値を超過すると予測した場合に、冷凍装置４の庫内４０への発熱を低減するために庫内照明装置２を減光させるとともに空間照明装置３も減光させることによって、庫内照明装置２のみを減光させる場合に比べて空間Ｓに対する庫内４０の照度の比が小さくならないようにすることができるので、庫内４０の陳列商品の見栄えを低下させることがなく、購買者の購買意欲を落とすことがない状態で、冷凍装置４のデフロストの終了後におけるピーク電力を下げることができ、その結果、積算電力量をデマンド基準値以下にすることができ、デマンドピークの上昇を防止することができる。
【００４９】
また、本実施形態によれば、空間照明装置３を減光させた後に庫内照明装置２を減光させ、空間照明装置３を元の光出力に復帰させる前に庫内照明装置２を元の光出力に復帰させることによって、冷凍装置４の庫内４０において一時的な暗がりを避けることができる。
【００５０】
さらに、本実施形態によれば、採光によって周囲の照度が他の冷凍装置４よりも高い窓近傍の冷凍装置４ａに対応する庫内照明装置２の減光を抑制することによって、空間Ｓに対する窓近傍の冷凍装置４ａの庫内４０の照度の比を一定にすることができるので、購買者の購買意欲を落とすことがない。
【００５１】
（実施形態２）
実施形態２に係る照明制御装置１は、図８に示すように、通信部１０と情報取得部１１と予測部１２と照度センサ１３と制御部１４とを実施形態１に係る照明制御装置１（図１参照）と同様に備えているとともに、冷凍装置４がデフロストの開始前の状態に復帰したか否かを判断する判断部１５と、複数の冷凍装置４から後述の条件を満たす冷凍装置４を特定する特定部１６とをさらに備えている。なお、実施形態１と同様の構成要素については、同一の符号を付して説明を省略する。
【００５２】
情報取得部１１は、実施形態１と同様に、各冷凍装置４の消費電力の値を取得する。判断部１５は、デフロストの終了後に冷凍装置４の消費電力の時間変動分を求め、上記時間変動分が予め設定された第１の閾値以下になると、冷凍装置４が開始前の状態に復帰したと判断する。
【００５３】
特定部１６は、複数の冷凍装置４の中から、過去のリバウンド電力Ｐｒが予め設定された第３の基準値を超える冷凍装置４を特定する。特定部１６で特定された冷凍装置４は、他の冷凍装置４に比べて容量が大きい。リバウンド電力Ｐｒが大きいと、デマンドピークにも大きな影響を与えることになる。
【００５４】
本実施形態の制御部１４は、冷凍装置４が開始前の状態に復帰したと判断部１５で判断された場合に、庫内照明装置２および空間照明装置３を元の光出力に復帰させる。
【００５５】
また、制御部１４は、図９（ａ）に示すようにいずれかの冷凍装置４のリバウンド電力Ｐｒが第２の基準値Ｌを超えた場合、上記冷凍装置４に対応する庫内照明装置２および空間照明装置３をさらに減光させる。第２の基準値Ｌは、デマンド基準値よりも低い値に予め設定されている。リバウンド電力Ｐｒは冷凍装置４ごとに異なることが多い。このため、庫内照明装置２および空間照明装置３の減光量も異なってくる。本実施形態の照明制御装置１では、庫内照明装置２および空間照明装置３に対して最初から一律に大きな減光とするのではなく比較的小さな減光とし、最初の減光で不足する場合に減光量を追加することができるので、庫内照明装置２および空間照明装置３に対して不要な減光を抑制することができる。つまり、本実施形態の照明制御装置１では、リバウンド電力Ｐｒの大きさに応じて、庫内照明装置２および空間照明装置３の減光量を調整して不要な減光を抑制することができる。一方、図９（ｂ）に示すように各冷凍装置４のリバウンド電力Ｐｒが第２の基準値Ｌ以下である場合、制御部１４は、庫内照明装置２および空間照明装置３への減光量を追加しない。
【００５６】
さらに、制御部１４は、特定部１６で特定された冷凍装置４がデフロストを開始する場合、各冷凍装置４に対応するすべての庫内照明装置２を空間照明装置３とともに減光させる。リバウンド電力Ｐｒが大きい冷凍装置４の場合、上記冷凍装置４に対応する庫内照明装置２だけでは積算電力量を低減させる効果は小さい。したがって、本実施形態の照明制御装置１では、リバウンド電力Ｐｒの大きい冷凍装置４がデフロストを開始する場合に、上記冷凍装置４に対応する庫内照明装置２だけではなく、すべての庫内照明装置２を減光させることによって、積算電力量を下げることができる。
【００５７】
次に、本実施形態に係る照明制御装置１を用いた照明制御方法について図１０を用いて説明する。まず、情報取得部１１は、所定時間（例えば５分）ごとに受電電力の値を分電盤５から取得する（図１０のＳ１１）。続いて、予測部１２は、受電電力の値を用いて積算電力量を算出する（Ｓ１２）。一方、照度センサ１３は空間Ｓの照度を計測する（Ｓ１３）。その後、予測部１２は、積算電力量がデマンド基準値を超過するか否かを予測する（Ｓ１４）。積算電力量がデマンド基準値を超過すると予測された場合、情報取得部１１は、各冷凍装置４の消費電力を取得する（Ｓ１５）。その後、判断部１５が各冷凍装置４の消費電力の時間変動分（電力時間変動）を求める（Ｓ１６）。その後、判断部１５は、各冷凍装置４のリバウンド期間Ｔｒが終了したか否かを判定する（Ｓ１７）。デフロスト期間Ｔｄまたはリバウンド期間Ｔｒである場合（Ｓ１８）、特定部１６は、過去のリバウンド電力Ｐｒが第３の基準値を超える冷凍装置４を特定する（Ｓ１９）。リバウンド電力Ｐｒが第３の基準値を超える冷凍装置４が特定部１６で特定された場合、制御部１４は、すべての庫内照明装置２および空間照明装置３を減光させる（Ｓ２０）。一方、すべての冷凍装置４において過去のリバウンド電力Ｐｒが第３の基準値以下である場合、制御部１４は、対応する庫内照明装置２および空間照明装置３のみを減光させる（Ｓ２１）。その後、冷凍装置４のリバウンド電力Ｐｒが第２の基準値Ｌを超える場合（Ｓ２２）、制御部１４は、これまでに減光させている庫内照明装置２および空間照明装置３をさらに減光させる（Ｓ２３）。また、ステップＳ１４において、積算電力量がデマンド基準値以下である場合、庫内照明装置２および空間照明装置３は通常運転を行う（Ｓ２４）。ステップＳ１８において、デフロスト期間Ｔｄでもリバウンド期間Ｔｒでもない場合も、庫内照明装置２および空間照明装置３は通常運転を行う（Ｓ２５）。照明制御装置１は、ステップＳ２２〜Ｓ２５をそれぞれ行った後、ステップＳ１１に戻る。
【００５８】
以上、本実施形態によれば、各冷凍装置４の消費電力の時間変動分が第１の閾値以下であることによって、各冷凍装置４におけるデフロストの終了後のリバウンド期間Ｔｒが終了したことを認識でき、庫内照明装置２および空間照明装置３の減光時間を短くすることができるので、購買者の商品購買への影響を抑えることができる。
【００５９】
また、本実施形態によれば、各冷凍装置４のリバウンド電力Ｐｒの大きさに応じて、庫内照明装置２および空間照明装置３の減光量を変更させることによって、各冷凍装置４の特性に合わせて減光を行うことができるので、不要な減光を抑えることができる。
【００６０】
さらに、本実施形態によれば、過去のリバウンド電力Ｐｒの大きい冷凍装置４がデフロストを開始したタイミングですべての庫内照明装置２を減光させることによって、積算電力量をより緩和することができる。
【００６１】
なお、実施形態１，２の変形例として、照明システムにおいて、各冷凍装置４のデフロストの開始および終了に関する情報を照明制御装置１のみが認識するのではなく、照明制御装置１が上記情報を庫内照明装置２および空間照明装置３に送信することによって、庫内照明装置２および空間照明装置３も上記情報を認識するようにしてもよい。
【符号の説明】
【００６２】
１  照明制御装置
１１  情報取得部
１２  予測部
１４  制御部
１５  判断部
１６  特定部
２  庫内照明装置
３  空間照明装置
４  冷凍装置
４ａ  窓近傍の冷凍装置
４０  庫内
４１  冷凍機
Ｓ  空間
Ｗ  窓
【図１】
2011076801.tif 000003
【図２】
2011076801.tif 000004
【図３】
2011076801.tif 000005
【図４】
2011076801.tif 000006
【図５】
2011076801.tif 000007
【図６】
2011076801.tif 000008
【図７】
2011076801.tif 000009
【図８】
2011076801.tif 000010
【図９】
2011076801.tif 000011
【図１０】
2011076801.tif 000012